(57)【要約】【課題】  被裁断シート材を吸引しながらの搬送時でも密閉シートの吸着による停滞がなく、円滑に裁断テーブル上から搬出側に移行が可能な裁断機を提供する。【解決手段】  搬出側エアテーブル２３の先端側を折り曲げてガイド板２６の傾斜部とし、ガイド板２６のさらに先端をガイド爪２６ａとして櫛歯状に形成している。搬出側エアテーブル２３の裏面側には、遮蔽板２７の基端側を溶接する。溶接することによって、搬出側エアテーブル２３の表面には凹凸などが生じない状態で遮蔽板２７を固定することができる。遮蔽板２７が存在するので、吸引空気流が弱くなり、乱流となって、ガイド爪２６ａ付近での密閉シート２９への吸引力が弱まり、吸着を防ぐことができる。【選択図】  図１
2009072886.tif 000002
【特許請求の範囲】
【請求項１】
剛毛ブラシのブロックを並べて剛毛の先端で表面を形成するコンベア方式の裁断テーブルを有し、裁断テーブル上に被裁断シート材を吸引して保持しながら、入力されるデータに従って裁断する裁断機において、
裁断テーブルの少なくとも搬出側に、
裁断テーブルの表面よりも高くなって、コンベアの端部を覆う取り出しテーブルと、
櫛歯状に形成される先端のガイド爪が裁断テーブルの表面の剛毛中に侵入し、基端が取り出しテーブルに連なるように傾斜するガイド板と、
コンベアの端部を覆う取り出しテーブルの内側で、コンベアの端部の表面とガイド板の裏面との間に設けられ、コンベアの端部からガイド爪付近に作用する吸引力を制限する遮蔽板とを、
含むことを特徴とする裁断機。
【請求項２】
前記ガイド板は、前記取り出しテーブルと板材で一体的に形成されていることを特徴とする請求項１記載の裁断機。
【請求項３】
前記遮蔽板は、
基端部が前記取り出しテーブルの裏面側に溶接され、
先端部が前記ガイド板の裏面と前記コンベアの表面との間の空間に進出していることを特徴とする請求項１または２記載の裁断機。
【発明の詳細な説明】
【技術分野】
【０００１】
本発明は、布帛などのシート材を裁断テーブル上に吸引して保持しながら裁断する裁断機に関する。
【背景技術】
【０００２】
従来から、衣類などを縫製するためのパーツは、布帛などの生地を型紙などに合うように裁断して生成している。裁断機は、裁断を効率よく行うために用いられる。
【０００３】
図５は、従来からの裁断機１の概略的な構成を示す（たとえば、特許文献１参照）。裁断機１の裁断テーブル２は、大略的に箱形のフレーム３の頂面に形成される。裁断テーブル２は、コンベア４の一部となっている。コンベア４の表面は、剛毛ブラシ５の剛毛の先端で形成される。裁断テーブル２の表面に沿って、裁断ヘッド６が移動し、裁断ヘッド６から裁断テーブル２側には裁断刃７が突出する。なお、裁断ヘッド６を裁断テーブル２の表面に沿って移動させる機構は、記載を省略している。
【０００４】
剛毛は、合成樹脂などを素材とし、裁断刃７が表面から侵入すると、弾性的に変形して刃先から逃れる。剛毛で形成される裁断テーブル２は通気性もあるので、生地などの被裁断シート材８を吸引して保持することができる。一般の生地は通気性があるので、複数枚を積層し、上部を合成樹脂フィルムなどの密閉シート９で覆うと、全体を吸引して保持することができる。裁断テーブル２の吸引力は、コンベア４の上側部分に吸引室１０を設けて発生させる。
【０００５】
コンベア４の一部となる裁断テーブル２の搬入側には搬入側エアテーブル１１が設けられ、被裁断シート材８の準備や裁断テーブル２上への導入作業などを行う。裁断テーブル２の搬出側には、搬出側エアテーブル１２が設けられ、裁断されたパーツなどの取り出し作業などを行う。コンベア４を稼働させての搬入や搬出の作業時には、搬入側エアテーブル１１や搬出側エアテーブル１２の表面から空気流が噴出し、被裁断シート材８や裁断されたパーツを浮上させて移動しやすくすることができる。
【０００６】
裁断テーブル２上に被裁断シート材８を搬入するとコンベア４を停止し、吸引を開始する。剛毛ブラシ５の周囲は開いているので、特許文献１では、裁断テーブル２の搬入側および搬出側の端部に、リーク防止機構１３，１４を設けて、吸引力の低下を防ぐようにしている。
【０００７】
搬入側エアテーブル１１および搬出側エアテーブル１２は、表面が裁断テーブル２の表面よりも高い位置にある。コンベア４が反転する両端では、剛毛ブラシ５が回転する際に、端部の軌跡５ａの頂部が裁断テーブル２の表面よりも高くなり、その頂部を覆う搬入側エアテーブル１１および搬出側エアテーブル１２は、裁断テーブル２の表面よりもさらに高くなるからである。搬入側エアテーブル１１および搬出側エアテーブル１２の表面と、裁断テーブル２の表面との間で段差が生じる部分には、傾斜した表面を有するガイド爪１５，１６を設けて、被裁断シート材８や裁断されたパーツの移動が円滑に行えるようにしている。
【０００８】
また、被裁断シート材８が薄くて柔軟な生地などである場合、裁断テーブル２上に直接に載置するのではなく、下敷紙シート１７を敷いた上に載置することが多い。下敷紙シート１７は、被裁断シート材８よりも広い範囲を覆うようにしておく。下敷紙シート１７には、剛毛ブラシ５から立設される剛毛の間隔よりも広い間隔をあけて通気孔が設けられており、被裁断シート材８が裁断テーブル２の剛毛内に引込まれることを防いでいる。裁断刃７による裁断では、下敷紙シート１７も、被裁断シート材８および密閉シート９とともに切断される。
【０００９】
図６は、図５の搬出側に設けられるガイド爪１６の構成を示す。（ａ）は上方から見た構成、（ｂ）は側方から見た構成をそれぞれ示す。ガイド爪１６の先端は、櫛歯状に形成され、剛毛ブラシ５の剛毛中に侵入している。（ｂ）に示すように、密閉シート９は、リーク防止のため、裁断テーブル２の表面から、ガイド爪１６の背面の傾斜面を越えて、搬出側エアテーブル１２の表面と同程度の高さまで、予め広げられている。しかしながら、ガイド爪１６の先端付近での吸引力が強くなるので、吸引しながらコンベア４を搬送すると、ガイド爪１６付近に広げられている密閉シート９は吸着して移動しない。ガイド爪１６の先端付近に後続する部分の密閉シート９は、非裁断シート材８や下敷紙シート１７とともに搬送によって移動するけれども、二点鎖線の符号９ａとして示すように、ガイド爪１６の先端付近に停滞し屈曲しやすくなる。
【００１０】
ガイド爪１６のような部材は、エスカレータや動く歩道などの終端部に、櫛歯として用いられている（たとえば特許文献２参照）。特許文献２の０００２段落には、エスカレータ入口における踏み板の現出部および出口における踏み板の潜入部においては、人および運搬物のスムーズな移行と踏み板潜入部への異物の巻き込み防止とを目的に、踏み板の溝に所定の間隔を持って噛み合う櫛歯が設置されている、と記載されている。図５の裁断機１の搬出側に設けるガイド爪１６は、エスカレータの踏み板潜入部と同様に、異物の巻き込み防止の目的も果たしている。
【特許文献１】特許第２９５５７９６号公報
【特許文献２】特開２００１−１３９２７６号公報
【発明の開示】
【発明が解決しようとする課題】
【００１１】
図５に示す裁断機１では、被裁断シート材８の裁断を、コンベア４を停止させて行う。コンベア４を稼働させて吸引を行うと、密閉シート９が図６（ｂ）に示すように、搬出側のガイド爪１６の先端付近で裁断テーブル２の表面やガイド爪１６の背面側の傾斜面に吸着されて、新たに搬出しようとして送られてくる部分が停滞し、裁断テーブル２の表面から円滑に搬出側エアテーブル１２上に分離することができないからである。このために、吸引保持による裁断と、吸引を停止しての搬送とを分けて行う必要があるけれども、裁断機１の稼働効率を低下させている。
【００１２】
図６に示すように、ガイド爪１６は、個々の櫛歯がナイフの刃状であり、剛毛ブラシ２５の剛毛を仕切るように挿入されている。このようなナイフの刃状の形状は、特許文献２のようなエスカレータなどの櫛歯の考え方の影響を受けていると考えられる。しかしながら、裁断テーブル２は、エスカレータなどのように、人などの体重のような大荷重がかかることはなく、また吸引力による密閉シート９の停滞のような特有の問題もある。
【００１３】
本発明の目的は、被裁断シート材を吸引しながらの搬送時でも密閉シートの吸着による停滞がなく、円滑に裁断テーブル上から搬出側に移行が可能な裁断機を提供することである。
【課題を解決するための手段】
【００１４】
本発明は、剛毛ブラシのブロックを並べて剛毛の先端で表面を形成するコンベア方式の裁断テーブルを有し、裁断テーブル上に被裁断シート材を吸引して保持しながら、入力されるデータに従って裁断する裁断機において、
裁断テーブルの少なくとも搬出側に、
裁断テーブルの表面よりも高くなって、コンベアの端部を覆う取り出しテーブルと、
櫛歯状に形成される先端のガイド爪が裁断テーブルの表面の剛毛中に侵入し、基端が取り出しテーブルに連なるように傾斜するガイド板と、
コンベアの端部を覆う取り出しテーブルの内側で、コンベアの端部の表面とガイド板の裏面との間に設けられ、コンベアの端部からガイド爪付近に作用する吸引力を制限する遮蔽板とを、
含むことを特徴とする裁断機である。
【００１５】
また本発明で、前記ガイド板は、前記取り出しテーブルと板材で一体的に形成されていることを特徴とする。
【００１６】
また本発明で、前記遮蔽板は、
基端部が前記取り出しテーブルの裏面側に溶接され、
先端部が前記ガイド板の裏面と前記コンベアの表面との間の空間に進出していることを特徴とする。
【発明の効果】
【００１７】
本発明によれば、剛毛ブラシのブロックを並べて剛毛の先端で表面を形成するコンベア方式の裁断テーブルは、少なくとも搬出側に、取り出しテーブルと、ガイド板と、遮蔽板とを含む。取り出しテーブルは、裁断テーブルの表面よりも高くなって、コンベアの端部を覆うので、コンベアの端部での剛毛ブラシの回転半径の頂部が裁断テーブルの表面よりも高くなっても、内部に収容することができる。ガイド板は、櫛歯状に形成される先端のガイド爪が裁断テーブルの表面の剛毛中に侵入し、基端が取り出しテーブルに連なるように傾斜するので、密閉シートなどが取り出しテーブルの下部などに巻き込まれるのを防ぐことができる。遮蔽板は、コンベアの端部を覆う取り出しテーブルの内側で、コンベアの端部の表面とガイド板の裏面との間に設けられ、コンベアの端部からガイド爪付近に作用する吸引力を制限するので、密閉シートなどの吸着による停滞を防止することができる。被裁断シート材を吸引しながらの搬送時でも密閉シートの吸着による停滞がなくなるので、円滑に裁断テーブル上から搬出側に移行させることができる。
【００１８】
また本発明によれば、ガイド板は、取り出しテーブルと板材で一体的に形成されているので、部品点数を削減し、製造の簡略化やコスト低減を図ることができる。
【００１９】
また本発明によれば、遮蔽板は、取り出しテーブルの裏面側に溶接されているので、表面側には突出する部分などが形成されず、裁断されたパーツなどの取り出し作業を、表面側で円滑に進めることができる。遮蔽板の先端部をガイド板の裏面とコンベアの表面との間の空間に進出させるので、ガイド板の櫛歯状に形成される先端付近で発生する吸引力を低下させ、密閉シートの噛み込みを有効に防ぐことができる。
【発明を実施するための最良の形態】
【００２０】
図１は、本発明の実施の一形態としての裁断機２１で、裁断テーブル２２から搬出側エアテーブル２３への移行部付近の構成を簡略化して示す。搬出側エアテーブル２３は、取り出しテーブルとして機能する。裁断テーブル２２は、コンベア２４の外周に並べられる剛毛ブラシ２５からの剛毛の先端で表面が形成される点など、裁断テーブル２２に関する構成は、図５の裁断機１と基本的に同様である。裁断機２１では、図５のガイド爪１６に相当するガイド板２６を金属板などの板材で、搬出側エアテーブル２３と一体化させている。すなわち、搬出側エアテーブル２３の先端側を折り曲げてガイド板２６の傾斜部とし、ガイド板２６のさらに先端をガイド爪２６ａとして櫛歯状に形成している。ガイド板２６は、搬出側エアテーブル２３と別体にして、組み合わせることもできる。しかしながら、搬出側エアテーブル２３とガイド板２６とを一体化することによって、部品点数削減を図ることができる。搬出側エアテーブル２３とガイド板２６とを板材で一体化することによって、製造コストの低減も図ることができる。
【００２１】
搬出側エアテーブル２３の裏面側には、遮蔽板２７の基端側を溶接する。溶接することによって、搬出側エアテーブル２３の表面には凹凸などが全く生じない状態で遮蔽板２７を固定することができる。遮蔽板２７を別体とし、ボルトなどで固定する場合、搬出側エアテーブル２３の表面側に凹凸が生じないようにするためには、皿ねじなどを使用し、
頭部が表面から突出しないようなねじ孔を加工する必要がある。溶接すれば、部品点数の削減も図ることができる。遮蔽板２７の先端側は、ガイド板２６の裏面側と剛毛ブラシ２５の表面との間の空間に侵入している。
【００２２】
コンベア２４は、幅方向の両側に設けられるチェーン２４ａを搬出側の終端と搬入側の始端とでスプロケットホイール２８に巻き掛けて駆動する。剛毛ブラシ２５は、スプロケットホイール２８の周りを、回転方向２８ｒに回る際に、端部が図４に示すような軌跡２５ａを描く。軌跡２５ａの頂部は裁断テーブル２２の表面よりも高くなる。搬出側エアテーブル２３は、スプロケットホイール２８の周りを回る剛毛ブラシ２５を収容するだけの高さを有し、剛毛ブラシ２５の表面と搬出側エアテーブル２３の裏面との間には空間が設けられる。搬入側も同様となる。遮蔽板２７は、この空間に配置される。遮蔽板２７が存在するので、吸引空気流が弱くなり、乱流となって、裁断テーブル２２で裁断に使用するエリア２２ａに比較し、ガイド爪２６ａ付近のエリア２２ｂでの密閉シート２９への吸引力が弱まり、吸着による停滞を防ぐことができる。このような吸引力の差を生じさせるのに、吸引力の切換え機構などを設ける必要はなく、遮蔽板２７を配置するだけの簡単な構成で容易に実現することができる。
【００２３】
図２は、図１に示す部分を含み、上方から見た構成を示す。図１の部分は、切断面線Ａ−Ａから見た構成に相当する。剛毛ブラシ２５の側端には、ブラシガイド３０が設けられ、側方への空気漏れを防止している。ブラシガイド３０よりも側方には、裁断ヘッドを移動させる機構などのカバー３１が設けられる。ブラシガイド３０の側方にはローラ３２が設けられ、図１のスプロケットホイール２８の周りを回って下側に移動しているときに、軌道に接触して支えられる。図示を省略している受けレールで支持されている。
【００２４】
図３は、被裁断シート材を裁断テーブル２２上で吸引して裁断しながら搬送する状態を示す。裁断テーブル２２の表面から、側方は、剛毛ブラシ２５の側端付近から、ブラシガイド３０、カバー３１にかけて、波状シート３３を固定して覆っておく。波状シート３３は、密閉シート２９と同様に、非通気性を有する合成樹脂フィルムや合成樹脂シートなどを素材として形成され、柔軟な密閉シート２９よりも剛性を高めておく。波状シート３３で、剛毛ブラシ２５の表面を覆う内側の側縁は、曲線的に凹凸が変化する波状に形成される。波状の大きさは、剛毛ブラシ２５で剛毛が立設されている間隔よりも大きくしておく。密閉シート２９は、幅方向の端部が波状シート３３の内側の側縁よりも外側になるように広げる。密閉シート２９を、波状シート３３よりも外側まで広げることもできる。波状シート３３の搬出側の先端は、搬出側エアテーブル２３の表面まで延長させておく。このような状態の波状シート３３を使用すると、吸引しながらでも、密閉シート２９をガイド板２６の表面の傾斜に沿って、裁断テーブル２２の表面から分離させ、搬出側エアテーブル２３上に円滑に移動させることができる。
【００２５】
図４は、図１の裁断機２１の全体的な構成と、裁断状態の一例とを示す。裁断機２１でも、図５の裁断機１と同様に、裁断テーブル２２は大略的に箱形のフレーム３４の頂部に設けられる。裁断機２１では、コンベア２４が二つのスプロケットホイール２８間に掛け渡され、上側が裁断テーブル２２となり、下側が帰路となる。吸引室３５は、スプロケットホイール２８間のコンベア２４の全体を収容する。コンベア２４が吸引室３５内に収容されるので、図５のように端部にリーク防止機構１３，１４などを設ける必要はない。
【００２６】
裁断テーブル２２の表面に沿って移動する裁断ヘッド３６や裁断刃３７、被裁断シート材３８、下敷紙シート３９などの構成も、基本的に図５の裁断機１と同様であるので、対応する部分についての重複する説明を省略する。裁断機２１では、被裁断シート材３８が裁断テーブル２２上に搬入されたらコンベア２４を一旦停止させて吸引を開始し、裁断ヘッド３６を搬出側に移動させてコンベア２４の停止状態での裁断を開始する。ある程度裁断が進行した後では、吸引した状態でコンベア２４の搬送を再開させて被裁断シート材３８などを送りながら裁断することができる。裁断済みの被裁断シート材８、密閉シート９および下敷紙シート１７は、搬出側エアテーブル２３上に円滑に搬出される。吸引室３５は、フィルタボックス４０を介してブロワに接続される。被裁断シート材３８を密閉シート２９で覆う準備を搬入側エアテーブル４１上でしておけば、裁断テーブル２２の長さよりも長い被裁断シート材３８でも容易に裁断することができる。なお、搬入側エアテーブル４１も、搬出側エアテーブル２３と同様の構成にすることができる。また、搬入側で被裁断シート材３８を下敷紙シート３９上に積層するような作業は、延反機や延反テーブルを設けて行われる。搬出側での裁断済みの被裁断シート材８などの取り出し作業は、ピックアップ用テーブルを設けて行われる。
【００２７】
なお、図５に示すように、吸引室１０がコンベア４の表面側にのみ設けられる構成でも、本発明を同様に適用し、搬送しながら吸引して裁断を行うことができる。ただし、端部を封止することができないので、空気漏れが大きく、吸引力を発生するブロワなどに大出力のものを要する。
【図面の簡単な説明】
【００２８】
【図１】本発明の実施の一形態としての裁断機２１で、裁断テーブル２２から搬出側エアテーブル２３への移行部付近の構成を簡略化して示す側面断面図である。
【図２】図１に示す部分を含み、上方から見た構成を示す平面図である。
【図３】被裁断シート材を図２の裁断テーブル２２上で吸引して裁断しながら搬送する状態を示す平面図である。
【図４】図１の裁断機２１の全体的な構成と、裁断状態の一例とを示す側面断面図である。
【図５】従来からの裁断機１の概略的な構成を示す側面断面図である。
【図６】図５の搬出側に設けられるガイド爪１６の構成を示す平面図および側面断面図である。
【符号の説明】
【００２９】
２１  裁断機
２２  裁断テーブル
２３  搬出側エアテーブル
２４  コンベア
２５  剛毛ブラシ
２６  ガイド板
２６ａ  ガイド爪
２７  遮蔽板
２９  密閉シート
３３  波状シート
３８  被裁断シート材
【図１】
2009072886.tif 000003
【図２】
2009072886.tif 000004
【図３】
2009072886.tif 000005
【図４】
2009072886.tif 000006
【図５】
2009072886.tif 000007
【図６】
2009072886.tif 000008